【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
被検査物の断層画像を生成する光断層画像生成方法であって、
被検査物に光を照射することにより得られる複数のフレームの信号を取得する工程、
前記複数のフレームの信号をフーリエ変換し、複素数のデータをそれぞれ得る工程、
前記複素数のデータを実数のデータに変換し、該実数のデータによりフレームの移動の情報を取得する工程、
前記フレームの移動の情報に基づいて前記それぞれの複素数のデータを平均することにより、前記複数のフレームの合成を複素数で行う工程、及び
前記合成したデータに基づき、断層画像を生成する工程
を有することを特徴とする光断層画像生成方法。
【請求項２】
前記取得したフレームの移動の情報で重みをつけて平均することによって、前記複数のフレームの合成を行うことを特徴とする請求項１に記載の光断層画像生成方法。
【請求項３】
前記複数のフレームの合成を複素数で行う工程は、前記フレームの移動の情報に基づいて該フレームをそれぞれ平行移動と回転移動とのうち少なくとも一方を行ってから前記複数のフレームにそれぞれ対応する複素数のデータを平均することを特徴とする請求項１又は２に記載の光断層画像生成方法。
【請求項４】
フレーム内で隣接するラインのデータを合成することにより前記フレームの信号をフレーム内で合成する工程を更に有し、
前記フレーム内で合成する工程は、前記複数のフレームの合成を複素数で行う工程よりも前に行われることを特徴とする請求項１〜３のいずれか１項に記載の光断層画像生成方法。
【請求項５】
前記平均は加算平均又は２乗平均のいずれかであることを特徴とする請求項１〜４のいずれか１項に記載の光断層画像生成方法。
【請求項６】
測定光を照射した被検査物からの戻り光と、前記測定光に対応する参照光とによる合波光を検出する検出手段、
前記検出手段で検出した複数のフレームの信号をフーリエ変換し、複素数のデータをそれぞれ得る手段、
前記複素数のデータを実数のデータに変換し、該実数のデータによりフレームの移動の情報を取得する移動情報取得手段、
前記フレームの移動の情報に基づいて前記それぞれの複素数のデータを平均することにより、前記複数のフレームの合成を複素数で行う合成手段、及び
前記合成したデータに基づき、断層画像を生成する生成手段、
を有することを特徴とする光断層画像生成装置。
【請求項７】
前記取得したフレームの移動の情報で重みをつけて平均することによって、前記複数のフレームの合成を行うことを特徴とする請求項６に記載の光断層画像生成方法。
【請求項８】
フレーム内で隣接するラインのデータを合成することにより前記フレームの信号をフレーム内で合成する手段を更に有し、
前記移動情報取得手段は、前記フレーム内で合成が行われたフレームの移動の情報を取得することを特徴とする請求項６又は７に記載の光断層画像生成装置。
【請求項９】
フレーム内で隣接するラインのデータを合成することにより前記フレームの信号をフレーム内で合成する手段を更に有し、
前記合成手段は、前記フレーム内で合成が行われた複数のフレームの合成を行うことを特徴とする請求項６〜８のいずれか１項に記載の光断層画像生成装置。
【請求項１０】
前記合成手段は、前記フレームの移動の情報に基づいて該フレームをそれぞれ平行移動と回転移動とのうち少なくとも一方を行ってから前記複数のフレームにそれぞれ対応する複素数のデータを平均することを特徴とする請求項６〜９のいずれか１項に記載の光断層画像生成装置。
【請求項１１】
前記フレーム間および／またはフレーム内の合成は、位置の差が前記測定光のビーム径の数倍以下の信号の間で行うことを特徴とする請求項６〜１０のいずれか１項に記載の光断層画像生成装置。
【請求項１２】
前記平均は加算平均又は２乗平均のいずれかであることを特徴とする請求項６〜１１のいずれか１項に記載の光断層画像生成装置。
【請求項１３】
被検査物に光を照射することにより得られる複数のフレームの信号を取得する手順と、
前記複数のフレームの信号をフーリエ変換し、複素数のデータをそれぞれ得る手順と、
前記複素数のデータを実数のデータに変換し、該実数のデータによりフレームの移動の情報を取得する手順と、
前記フレームの移動の情報に基づいて前記それぞれの複素数のデータを平均することにより、前記複数のフレームの合成を複素数で行う手順と、
前記合成したデータに基づき、断層画像を生成する手順と、
をコンピュータに実行させるためのコンピュータプログラム。
【手続補正２】
【補正対象書類名】明細書
【補正対象項目名】０００８
【補正方法】変更
【補正の内容】
【０００８】
つまり、本発明の光断層画像生成方法は、被検査物の断層画像を取得して行う光断層画像生成方法であって、被検査物に光を照射することにより得られる複数のフレームの信号を取得する工程、前記複数のフレームの信号をフーリエ変換し、複素数のデータをそれぞれ得る工程、前記複素数のデータを実数のデータに変換し、該実数のデータによりフレームの移動の情報を取得する工程、前記フレームの移動の情報に基づいて前記それぞれの複素数のデータを平均することにより、前記複数のフレームの合成を複素数で行う第三の工程、及び前記合成したデータに基づき、断層画像を生成する工程を有することを特徴とする。
【手続補正３】
【補正対象書類名】明細書
【補正対象項目名】０００９
【補正方法】変更
【補正の内容】
【０００９】
また、本発明の光断層画像生成装置は、測定光を照射した被検査物からの戻り光と、前記測定光に対応する参照光とによる合波光を検出する検出手段、前記検出手段で検出した複数のフレームの信号をフーリエ変換し、複素数のデータをそれぞれ得る手段、前記複素数のデータを実数のデータに変換し、該実数のデータによりフレームの移動の情報を取得する移動情報取得手段、前記フレームの移動の情報に基づいて前記それぞれの複素数のデータを平均することにより、前記複数のフレームの合成を複素数で行う合成手段、前記合成したデータに基づき、断層画像を生成する生成手段、を有することを特徴とする。
【手続補正４】
【補正対象書類名】明細書
【補正対象項目名】００１２
【補正方法】変更
【補正の内容】
【００１２】
本発明にかかる実施形態は、被検査物の断層画像を生成する光断層画像生成方法において、被検査物に光を照射することにより得られる複数のフレームの信号を取得する工程、前記複数のフレームの信号をフーリエ変換し、複素数のデータをそれぞれ得る工程、前記複素数のデータを実数のデータに変換し、該実数のデータによりフレームの移動の情報を取得する工程、前記フレームの移動の情報に基づいて前記それぞれの複素数のデータを平均することにより、前記複数のフレームの合成を複素数で行う工程、及び前記合成したデータに基づき、断層画像を生成する工程を有することを特徴とする。
【手続補正５】
【補正対象書類名】明細書
【補正対象項目名】００４０
【補正方法】変更
【補正の内容】
【００４０】
（実施例２）
つぎに、本発明の実施例２について説明する。ここでは、実施例１との差異について特に説明する。本実施例においては、マッハツェンダ干渉計を用いた撮像装置によって断層画像を生成するが、本発明において用いることのできる撮像装置はこれに限定されることはない。また、本実施例の信号処理は、フレームの信号をフレーム内で合成する工程を含むことと、位相成分を含めた移動量計算を行うことを特徴とする。なお、これらの特徴のうち双方ともを含んだ態様を以下に記載するが、本発明は以下の記載に限定されず、いずれか一方の特徴のみを含んだ態様でもよい。
【手続補正６】
【補正対象書類名】明細書
【補正対象項目名】００４７
【補正方法】変更
【補正の内容】
【００４７】
（実施例３）
また、本発明は、以下の処理を実行することによっても実現される。即ち、上述した実施形態の機能を実現するソフトウェア（コンピュータプログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
すなわち、前記コンピュータプログラムは、被検査物に光を照射することにより得られる複数のフレームの信号を取得する手順と、前記複数のフレームの信号をフーリエ変換し、複素数のデータをそれぞれ得る手順と、前記複素数のデータを実数のデータに変換し、該実数のデータによりフレームの移動の情報を取得する手順と、前記フレームの移動の情報に基づいて前記それぞれの複素数のデータを平均することにより、前記複数のフレームの合成を複素数で行う手順と、前記合成したデータに基づき、断層画像を生成する手順とを備える。また、前記コンピュータプログラムは、前記フレームの信号をフレーム内で合成する手順を更に備えてもよい。